(57)【特許請求の範囲】
【請求項１】
パチンコ球が一列の整列状にて自重で流下するのに支障なきよう該パチンコ球の直径に対して少しの隙間が出来るように横断面略四角筒状の流落樋を形成し、該流落樋の一側壁の中央部に長手方向に沿うスリット状の縦長孔を開設し、該縦長孔からパチンコ球の流下を制止し得る爪片を該流落樋中に出没動させるとともに、該爪片による制止が開放された直後のパチンコ球が球計数用センサによって検出されるようにした球払出装置において、縦長孔が開設された部位における前記流落樋の内径は縦長孔が開設された側壁の内面とその対向側壁の内面との距離がこれと直交する側壁の内面間の距離よりも短くなるように設定し、パチンコ球が縦長孔に介入することによる横振れが抑制されるようにするとともに、縦長孔が開設された部位より下方における流落樋の内径は縦長孔が開設された側の側壁の内面を外側に拡張することにより上記両距離を等しく設定することで該縦長孔に介入したパチンコ球が該縦長孔から滑らかに抜け出るようにしたことを特徴とするパチンコ遊技機の球払出装置。
【発明の詳細な説明】
【０００１】
【発明の属する技術分野】
本発明はパチンコ遊技機やそれに付随する球貸出装置に設けられる球払出装置の構造に関するものである。
【０００２】
【従来の技術】
パチンコ遊技機の球払出装置は、モータによって払出ロータを回転させる構造のものの他、特開平５ー１１５５９９に示されたように、パチンコ球が自重により流下する流落樋にソレノイドによって爪片を出没動させパチンコ球を停留させる構造のものが知られている。
【０００３】
【発明が解決しようとする課題】
ところで上記のように爪片を出没動させパチンコ球を停留させる構造の球払出装置では、爪片を出没動させるために流落樋の側壁に開設されているスリット状の縦長孔にパチンコ球が介入することにより該パチンコ球が流落樋中にて横振れを起すので、球計数用センサによる該パチンコ球の検出が不安定になり、そのために検出ミスを起すおそれがあった。
【０００４】
また、縦長孔にパチンコ球が介入しバウンドすることがあると球計数用センサがそのパチンコ球を２回以上も検出する（いわゆるチャタリング発生）おそれがあり、そうした誤検知のために払出球数が一定とならなくなるおそれもあった。
【０００５】
そこで本発明の第一の目的は、パチンコ球が常にスムースに流下し球計数用センサによるパチンコ球の検出が常に正確に行われるようにし、過剰な払出や払出球数の不足が生じないようにすることにある。
【０００６】
【課題を解決するための手段】
その目的を達成するために本発明に係るパチンコ遊技機の球払出装置は、パチンコ球が一列の整列状にて自重で流下するのに支障なきよう該パチンコ球の直径に対して少しの隙間が出来るように横断面略四角筒状の流落樋を形成し、該流落樋の一側壁の中央部に長手方向に沿うスリット状の縦長孔を開設し、該縦長孔からパチンコ球の流下を制止し得る爪片を該流落樋中に出没動させるとともに、該爪片による制止が開放された直後のパチンコ球が球計数用センサによって検出されるようにした球払出装置において、縦長孔が開設された部位における前記流落樋の内径は縦長孔が開設された側壁の内面とその対向側壁の内面との距離がこれと直交する側壁の内面間の距離よりも短くなるように設定し、パチンコ球が縦長孔に介入することによる横振れが抑制されるようにするとともに、縦長孔が開設された部位より下方における流落樋の内径は縦長孔が開設された側の側壁の内面を外側に拡張することにより上記両距離を等しく設定することで該縦長孔に介入したパチンコ球が該縦長孔から滑らかに抜け出るようにしたことを特徴とする。
【０００７】
【発明の実施の形態】
次に図面に従い本発明の実施の形態を説明する。図１は本発明に係る球払出装置の縦断面図である。図中、１はパチンコ遊技機の裏側に設けられた球貯留タンク等に連通しパチンコ球ｐが整列状にて流下するように接続される球流入口、２は該流入口の下に緩やかな下傾状に形成された緩傾斜樋である。該緩傾斜樋の下端には下向きに急カーブする屈折部３を介して鉛直な流落樋４が延設される。なおこれらのパチンコ球ｐを流下させるための傾斜樋２，屈折部３および流落樋４は横断面が略四角筒状に形成されている。
【０００８】
６は流落樋４の外側にて支軸７により鉛直面内で回転自在に軸支された爪片、８は支軸９により鉛直面内で回転自在に軸支された連動片、９はソレノイドで、該ソレノイドのスピンドルに固着された作動体１０の突片１１を該連動片８に形成された係合部１２，１２間に遊嵌し、該連動片８に形成された突片１３を爪片６の基部背面に形成された係合部１４，１４間に遊嵌し、該ソレノイド９が励磁作動すると連動片８，爪片６が夫々反復回転し、該爪片６の先端部１５が流落樋４の側壁４ａに開設された長手方向に沿う縦長孔１６から流落樋４中に出没動することでパチンコ球ｐの流下を制止し得るように構成している。
【０００９】
また、図２に示したように、１７は投光器１７ａと受光器１７ｂとからなる光学式の球計数用センサ、１８は該センサを支持しているコ字状取付枠で、該センサは該取付枠によって爪片６により支持されるパチンコ球ｐの僅かに下流位置でしかも流落樋４の中心線からずれた位置でその光軸１９が交差するように配置される。そして該爪片６による制止が開放された直後のパチンコ球がこの光軸１９を遮ることで該パチンコ球を検知し得るように配置される。
【００１０】
縦長孔１６は、図３にも示したように、流落樋４の一側壁４ａの中央部に幅ｗを５ｍｍとしたスリット状に開設され、縦長孔１６が開設された部位における流落樋４の内径は、該縦長孔が開設された側壁４ａの内面とその対向側壁４ｂの内面との距離ｘよりもこれと直交する側壁４ｃ，４ｄの内面間の距離ｙの方が長くなるように設定されている。（即ち、ｘ＜ｙ）。なお一般的にパチンコ球ｐの直径は１０．５〜１１ｍｍであるので、所要の隙間が出来るように、距離ｘは１１．５ｍｍ、距離ｙは１２ｍｍに設定される。これによって図２に示したように、パチンコ球ｐが縦長孔１６中に介入することによるこの縦長孔１６が開設された部位におけるパチンコ球の横振れ（ｘ方向の振れ）が減少する。
【００１１】
なお図１に示した実施形態では、図４にこの縦長孔１６が開設された部位より下方における流落樋４の横断面を示したように、該流落樋４は四角筒状であって両内径は等しく１２ｍｍに設定されている。言い換えれば上記距離ｘは縦長孔１６の下縁より下方は１２ｍｍに拡径されている。（即ち、図４中のｘ’＝１２ｍｍ）。
【００１２】
このため、パチンコ球ｐは縦長孔１６に介入しても該縦長孔の下縁１６ａにて衝撃を受けることなく真直に流落し得る。このためパチンコ球ｐが縦長孔１６の下縁１６ａに当たってバウンドすることなく、球計数用センサ１７により二重検知がなされるおそれを回避できる。
【００１３】
この球払出装置では、球払出制御装置からの指令によりソレノイド９が励磁されることで図５に示したように爪片６の先端部１５が縦長孔１６から没してパチンコ球ｐが制止されなくなることで自重により該パチンコ球ｐの払い出しが行われ、球計数用センサ１７が所定数のパチンコ球を検出したところで該球払出制御装置から再び指令が出て爪片６が突出することでパチンコ球ｐの払い出しが停止する。
【００１４】
一方、図６は本発明の他の実施形態を示したもので、この球払出装置は、縦長孔１６の下縁１６ａを内向下傾状に形成することで該縦長孔に介入したパチンコ球が該縦長孔から滑らかに抜け出るようにしたものである。このようにすることでもパチンコ球ｐのバウンド等による二重検知のおそれが解消される。なおこの実施形態では、縦長孔１６の下縁１６ａと対向する側壁４ｂをこの部位４ｂ’より下方において外側に拡径することにより内径１２ｍｍを確保している。
【００１５】
また図７に示した本発明の他の実施形態は、縦長孔１６を球計数用センサ１７によるパチンコ球ｐの検出位置よりも十分に下方に延設してなるものである。なおこの延設はパチンコ球ｐの検出位置よりもパチンコ球ｐの少なくとも半球分以上でなければならない。これによってたとえバウンドが起きても球計数用センサにより二重検知されるような支障が出ないようにするためである。
【００１６】
また図８に示した実施形態は、図９にその流落樋４の横断面図を示したように、相対する側壁４ｃ，４ｄの内面中央部に長手方向に沿う幅３ｍｍ、高さ０．２ｍｍの凸条５，５を形成したものである。なおこの凸条５，５は流落樋４の内面だけでなく傾斜樋２および屈折部３の内面にも形成される。このように流路内面にパチンコ球ｐが接する凸条５，５を形成することでは、パチンコ球ｐの汚れが該凸条５，５に付着し堆積してもその汚れが両側方に逃れ得るので汚れによって内径が狭くなりパチンコ球の流れを悪くするようなことを防止できる。
【００１７】
なおこの実施形態では球計数用センサについては光学式のものを説明したが、電磁式，静電容量式等、その他の検知形式のセンサを使用することもできる。
【００１８】
【発明の効果】
このように本発明に係るパチンコ遊技機の球払出装置は、パチンコ球が整列状にて自重で流下し得る横断面略四角筒状の流落樋を形成し、該流落樋の一側壁の中央部に長手方向に沿うスリット状の縦長孔を開設し、該縦長孔からパチンコ球の流下を制止し得る爪片を該流落樋中に出没動させるとともに、該流落樋を流下するパチンコ球を球計数用センサによって検出する球払出装置において、縦長孔が開設された部位における流落樋の内径を縦長孔が開設された側壁の内面とその対向側壁の内面との距離よりもこれと直交する側壁の内面間の距離の方が長くなるように設定し、縦長孔にパチンコ球が介入することによる横振れを軽減させたので、パチンコ球が常にスムースに流下し球計数用センサによるパチンコ球の検出が常に正確に行われ、過剰な払出や払出球数の不足が生じないなど顕著な効果がある。
【図面の簡単な説明】
【図１】本発明に係るパチンコ遊技機の球払出装置の実施形態を示した縦断面図。
【図２】図１のＡ−Ａ線断面図。
【図３】図１のＢ−Ｂ線断面図。
【図４】図１のＣ−Ｃ線断面図。
【図５】図１の作動状態を示した縦断面図。
【図６】本発明に係るパチンコ遊技機の球払出装置の他の実施形態を示した縦断面図。
【図７】本発明に係るパチンコ遊技機の球払出装置の他の実施形態を示した縦断面図。
【図８】本発明に係るパチンコ遊技機の球払出装置の他の実施形態を示した縦断面図。
【図９】図８のＤ−Ｄ線断面図。
【符号の説明】
ｐ          パチンコ球
４          流落樋
４ａ，４ｂ  側壁
４ｃ，４ｄ  側壁
５          凸条
６          爪片
９          ソレノイド
１６        縦長孔
１６ａ      縦長孔の下縁
１７        球計数用センサ
ｘ，ｙ      側壁内面間の距離
【図１】
0004576010.tif 000002
【図２】
0004576010.tif 000003
【図３】
0004576010.tif 000004
【図４】
0004576010.tif 000005
【図５】
0004576010.tif 000006
【図６】
0004576010.tif 000007
【図７】
0004576010.tif 000008
【図８】
0004576010.tif 000009
【図９】
0004576010.tif 000010